(57)【特許請求の範囲】
【請求項１】
ゴルフクラブのシャフトを固定するシャフト固定手段と、前記シャフト固定手段により前記シャフトが固定された前記ゴルフクラブを計測する計測手段と、を備えるゴルフクラブゲージであって、
前記シャフト固定手段が、第一の作用方向に挟持力を作用させて前記シャフトを挟持可能な第一挟持部材と、前記第一の作用方向に交差する第二の作用方向に挟持力を作用させて前記シャフトを挟持可能な第二挟持部材と、を有し、
前記第一挟持部材及び前記第二挟持部材が、それぞれ、所定位置に設置された第一固定挟持体及び第二固定挟持体と、前記第一固定挟持体及び前記第二固定挟持体に対して近接及び離反可能に設けられた第一可動挟持体及び第二可動挟持体と、前記第一の作用方向及び前記第二の作用方向を傾斜又は回転可能な第一調整機構及び第二調整機構と、を有し、
前記第一固定挟持体の固定側挟持面と前記第一可動挟持体の可動側挟持面との間、及び前記第二固定挟持体の固定側挟持面と前記第二可動挟持体の可動側挟持面との間、に前記シャフトを挟持することが可能であること、
を特徴とするゴルフクラブゲージ。
【請求項２】
前記固定側挟持面若しくは前記可動側挟持面のいずれか一方又は双方に、前記シャフトを配置可能な溝が設けられていること、
を特徴とする請求項１に記載のゴルフクラブゲージ。
【発明の詳細な説明】
【技術分野】
【０００１】
本発明は、ゴルフクラブのシャフトを中心軸を基準に一定の姿勢で固定可能なシャフト固定手段を備えたゴルフクラブゲージに関する。
【背景技術】
【０００２】
従来、ライ角、フェース角、ロフト角、及びフェース・プログレッション等の指標を用いることによりゴルフクラブの性能を評価すべく、下記特許文献１に開示されているゴルフクラブゲージ等が提供されている。
【０００３】
下記特許文献１のゴルフクラブゲージは、ゴルフクラブのシャフトを保持するためのシャフト保持具と、ライ角、フェース角、ロフト角、及びフェース・プログレッションを計測するための計測手段とを備えている。このゴルフクラブゲージにおいては、シャフト保持具によってシャフトが基盤に対して水平に保持させることにより、計測手段によってライ角等の指標をまとめて計測することが可能とされている。
【先行技術文献】
【特許文献】
【０００４】
【特許文献１】特公平６−６３７２１号公報
【発明の概要】
【発明が解決しようとする課題】
【０００５】
しかしながら、一般的に販売されているゴルフクラブの大多数においては、断面形状がテーパー状の筒体によってシャフトが形成されている。そのため、上記特許文献１のゴルフクラブゲージのシャフト保持具のようにクランプ状のものによってシャフトを締め付けて固定使用とすると、シャフトが微妙に傾いてしまう可能性が高い。このようにしてシャフトが傾いた状態で取り付けられてしまうと、計測誤差が生じてしまい、ゴルフクラブの性能（形状や角度）を正確に評価できないという問題がある。
【０００６】
また、特許文献１のゴルフクラブゲージのようなシャフト保持具を設けた場合において傾斜が生じないようにシャフトをシャフト保持具に保持させることは、一定の熟練を要し、困難なものである。そのため、従来技術のゴルフクラブゲージにおいては、測定者の技量次第で測定結果が異なる可能性が高く、測定結果の信頼性が十分とは言えないという問題がある。
【０００７】
そこで、本発明は、測定者の技量に依存することなく、テーパー状のシャフトであってもその中心線に沿った一定の姿勢で保持することが可能であり、信頼性に優れた測定結果を得ることが可能なゴルフクラブゲージを提供することを目的とする。
【課題を解決するための手段】
【０００８】
上述した課題を解決すべく提供される本発明のゴルフクラブゲージは、
ゴルフクラブのシャフトを固定するシャフト固定手段と、前記シャフト固定手段により前記シャフトが固定された前記ゴルフクラブを計測する計測手段と、を備え、
前記シャフト固定手段が、第一の作用方向に挟持力を作用させて前記シャフトを挟持可能な第一挟持部材と、前記第一の作用方向に交差する第二の作用方向に挟持力を作用させて前記シャフトを挟持可能な第二挟持部材と、を有し、
前記第一挟持部材及び前記第二挟持部材が、それぞれ、所定位置に設置された第一固定挟持体及び第二固定挟持体と、前記第一固定挟持体及び前記第二固定挟持体に対して近接及び離反可能に設けられた第一可動挟持体及び第二可動挟持体と、前記第一の作用方向及び前記第二の作用方向を傾斜又は回転可能な第一調整機構及び第二調整機構と、を有し、
前記第一固定挟持体の固定側挟持面と前記第一可動挟持体の可動側挟持面との間、及び前記第二固定挟持体の固定側挟持面と前記第二可動挟持体の可動側挟持面との間、に前記シャフトを挟持すること可能であること、
を特徴とする。
【０００９】
このような構成を有する本発明のゴルフクラブゲージにおいては、測定対象であるゴルフクラブのシャフトが、第一挟持部材に加えて、第一挟持部材と計測手段との間に配置された第二挟持部材によって挟持される。すなわち、シャフトが、第一挟持部材及び第二挟持部材によって二点支持される。そのため、単一の挟持部材によってシャフトを挟持する場合に比べてシャフトの軸ぶれが生じにくい。即ち、中心軸に沿ってより確実にシャフトを固定することができる。
【００１０】
また、本発明のゴルフクラブゲージにおいては、第一挟持部材及び第二挟持部材により、２箇所で、シャフトに対して互いに交差する方向に挟持力を作用させることができるため、シャフトの中心軸が傾斜した姿勢で固定されることを防止できる。従って、本発明のゴルフクラブゲージにおいては、測定者の技量に依存することなく、シャフトを中心軸に沿って一定の姿勢で保持することが可能であり、ゴルフクラブの形状を正確に計測することが可能となる。
【００１１】
更に、本発明のゴルフクラブゲージにおいては、第一挟持部材及び第二挟持部材の少なくとも一方が固定挟持体に対して可動挟持体を近接及び離反させることによりシャフトを挟持する。そのため、第一挟持部材及び第二挟持部材の少なくとも一方において、固定挟持体に対して可動挟持体が遊びを有しつつシャフトを次第に挟持させることができ、テーパー状のシャフトであってもその中心線に沿ってシャフトを位置決め固定し易くなり、ゴルフクラブの形状等をより正確に計測することができる。従って、本発明のゴルフクラブゲージによれば、容易かつ正確にゴルフクラブの性能評価を行うことができる。
【００１２】
本発明のゴルフクラブゲージは、
前記固定側挟持面若しくは前記可動側挟持面のいずれか一方又は双方に、前記シャフトを配置可能な溝が設けられていること、
を特徴とするものであることが望ましい。
【００１３】
このように本発明のゴルフクラブゲージは、固定側挟持面若しくは可動側挟持面の少なくとも一方に設けられている溝に倣うようにシャフトを配置することができ（即ち、溝にシャフトが嵌まるように配置することができ）、ゴルフクラブをシャフトの中心軸に沿って一定の姿勢で保持することが可能である。従って、本発明のゴルフクラブゲージによれば、ゴルフクラブの形状を容易かつ正確に計測することが可能となる。
【００１４】
また、本発明のゴルフクラブゲージは、
前記固定側挟持面若しくは前記可動側挟持面のいずれか一方が、前記シャフトを配置可能な溝を有し、他方が弾性体によって形成されていること、
を特徴とするものであることが好ましい。
【００１５】
このように本発明のゴルフクラブゲージにおいては、固定側挟持面若しくは可動側挟持面のうち一方の挟持面に設けられている溝に倣うようにシャフトを配置することが可能である。また、固定側挟持面若しくは可動側挟持面が、弾性体によって形成されているため、仮にシャフトがテーパー状等の筒体であったとしてもシャフトの表面に部位によらず略均等に挟持力を作用させることができる。そのため、本発明のゴルフクラブゲージによれば、シャフトがテーパー状の筒体によって形成されたものであっても、一定の姿勢で保持し易い。従って、本発明のゴルフクラブゲージによれば、測定者の技量に依存することなく正確にゴルフクラブの形状を計測することが可能である。
【００１６】
また、本発明のゴルフクラブゲージでは、前記第一挟持部材及び前記第二挟持部材が、それぞれ、前記第一の作用方向を含む面及び前記第二の作用方向を含む面において前記第一挟持部材及び前記第二挟持部材を傾斜又は回転可能な第一調整機構及び第二調整機構と、を有し、シャフトの固定位置及び固定姿勢のいずれか一方又は双方を調整可能な調整機構を備えている。
【００１７】
このように本発明のゴルフクラブゲージは、上述したような調整機構を備えているため、シャフトを挟持する位置及び姿勢を計測に適した状態になるように適宜調整することが可能となる。従って、本発明のゴルフクラブゲージによれば、ゴルフクラブの形状を容易かつ的確に計測することが可能である。
【００１８】
また、本発明のゴルフクラブゲージは、
前記計測手段が、ゴルフクラブのライ角、フェース角、ロフト角、及びフェース・プログレッションの少なくとも一つを計測可能なものであること、
を特徴とするものであることが望ましい。
【００１９】
かかる構成によれば、ゴルフクラブの特性評価に必要な情報を計測手段により計測することが可能である。
【発明の効果】
【００２０】
本発明によれば、測定者の技量に依存することなく、テーパー状のシャフトであってもその中心軸に沿って一定の姿勢で保持することが可能であり、信頼性に優れた測定結果を得ることが可能なゴルフクラブゲージを提供できる。
【図面の簡単な説明】
【００２１】
【図１】本発明の一実施形態に係るゴルフクラブゲージを示す斜視図である。
【図２】図１に示すゴルフクラブゲージの正面図である。
【図３】図１に示すゴルフクラブゲージが備える第一挟持部材に係る図であり、（ａ）は側面図、（ｂ）は正面図、（ｃ）は平面図である。
【図４】図１に示すゴルフクラブゲージが備える第二挟持部材に係る図であり、（ａ）は側面図、（ｂ）は正面図、（ｃ）は平面図である。
【発明を実施するための形態】
【００２２】
続いて、本発明の一実施形態に係るゴルフクラブゲージ１０について、図面を参照しつつ詳細に説明する。なお、以下の説明において、上下左右の位置関係については、特に断りのない限りゴルフクラブゲージ１０の基台１２を水平に設置した状態を基準とする。図１及び図２に示すように、ゴルフクラブゲージ１０は、基台１２上にゴルフクラブのシャフトを挟持することにより固定可能なシャフト固定手段２０と、ゴルフクラブの形状を計測可能な計測手段８０とを備えている。
【００２３】
シャフト固定手段２０は、第一挟持部材３０と第二挟持部材５０とを備えている。第一挟持部材３０は、上下方向への挟持力を作用させることによりシャフトを挟持することができる。図１〜図３に示すように、第一挟持部材３０は、第一クランプ部３２と、第一調整機構３４とを備えている。
【００２４】
第一クランプ部３２は、クランプ部本体３６と、第一固定挟持体３８と、第一可動挟持体４０とを有する。クランプ部本体３６は、略「Ｌ」字型の形状であり、略鉛直に立設された鉛直部３６ａと、鉛直部３６ａの上端部において基台１２に対して略平行となるように設けられた水平部３６ｂとを有する。鉛直部３６ａの背面３６ｃの略中央部には、リブ３６ｄが上下方向に直線的に延びるように設けられている。また、水平部３６ｂにはネジ孔３６ｅが設けられている。
【００２５】
また、第一固定挟持体３８は、クランプ部本体３６の下端側に設けられており、水平部３６ｂに対向している。第一固定挟持体３８において水平部３６ｂ側に向く面（天面）は、シャフトに接触する面（以下、「固定側挟持面３８ａ」とも称す）である。固定側挟持面３８ａには、略「Ｖ」字型の溝３８ｂが第一固定挟持体３８の全幅に亘って設けられている。
【００２６】
第一可動挟持体４０は、ブロック状の部材であり、これに接続された第一調整杆４２を回転させることにより第一固定挟持体３８に対して徐々に近接及び離反させることが可能とされている。具体的には、第一可動挟持体４０において第一固定挟持体３８側を向く面（底面）は、固定側挟持面３８ａに対向しシャフトに面接触する面（以下、「可動側挟持面４０ａ」とも称す）である。可動側挟持面４０ａは、樹脂若しくはゴム等の弾性を有する部材によって形成されている。
【００２７】
また、第一可動挟持体４０において水平部３６ｂ側を向く面（天面）には、第一調整杆４２が接続されている。第一調整杆４２は、ネジ軸部４２ａと、摘部４２ｂとを有する。ネジ軸部４２ａは、水平部３６ｂに設けられたネジ孔３６ｅに挿通されて螺合しており、水平部３６ｂに対して略垂直に立設されている。ネジ軸部４２ａの一端側（下端側）には、第一可動挟持体４０に対して自由に回転可能なように接続されており、他端側（上端側）には摘部４２ｂが接続されている。
【００２８】
そのため、摘部４２ｂを指で摘んで回転させることにより、可動挟持体４０を第一固定挟持体３８に対して近接及び離反させる（上下動させる）ことができる。従って、第一固定挟持体３８の溝３８ｂにシャフトを配置した状態において、摘部４２ｂを回転させて可動挟持体４０を第一固定挟持体３８に徐々に近接させることにより、固定側挟持面３８ａと可動側挟持面４０ａとによってシャフトを挟持することができる。
【００２９】
第一調整機構３４は、第一挟持部材３０によるシャフトの固定位置及び固定姿勢を調整するためのものである。第一調整機構３４は、基台１２上に設けられた第一台座４４を有する。第一台座４４は、基台１２と略平行な台座水平部４４ａと、台座水平部４４ａに対して略鉛直に立設された台座鉛直部４４ｂとを有する。
【００３０】
台座鉛直部４４ｂは、表面部４４ｃと背面部４４ｄとを重ね合わせ、第一連結軸４８によって両者を連結した２層構造とされている。背面部４４ｄは、台座水平部４４ａをなす板体に対して略鉛直に固定されている。また、表面部４４ｃは、第一連結軸４８を中心として回転可能とされている。また、表面部４４ｃには、上下方向に延びる摺動溝４４ｅが設けられている。摺動溝４４ｅには、上述した第一クランプ部３２のクランプ部本体３６に設けられているリブ３６ｄが嵌め込まれている。
【００３１】
そのため、クランプ部本体３６を台座鉛直部４４ｂに沿って上下方向にスライドさせることにより、第一クランプ部３２の高さ調整、すなわちシャフトの固定位置の高さ調整を行うことができる。また、表面部４４ｃ及びクランプ部本体３６を、第一連結軸４８を中心として回転させることにより、クランプ部本体３６の傾斜を調整することができる。
【００３２】
図１及び図２に示すように、第二挟持部材５０は、上述した第一挟持部材３０及び計測手段８０の間に設けられている。第二挟持部材５０は、第一挟持部材３０と略同一の構造を有しているが、第二挟持部材５０が第一挟持部材３０に対して約９０度回転した姿勢で設定されており、シャフトに対して水平方向への挟持力を作用させることができる点で相違している。
【００３３】
図４に示すように、第二挟持部材５０は、第二クランプ部５２と、第二調整機構５４とを備えている。第二クランプ部５２は、第一挟持部材３０における第一クランプ部３２に相当するものであり、クランプ部本体５６と、第二固定挟持体５８と、第二可動挟持体６０とを有する。クランプ部本体５６は、略「Ｌ」字型の形状であり、基台１２に対して水平に設けられた水平部５６ａと、水平部５６ａの一端側において水平部５６ａに対して略垂直に立設された鉛直部５６ｂとを有する。水平部５６ａの背面５６ｃには、リブ５６ｄが左右方向（水平方向）に略直線的に延びるように設けられている。また、鉛直部５６ｂにはネジ孔５６ｅが設けられている。
【００３４】
また、第二固定挟持体５８は、クランプ部本体５６の端部において鉛直部５６ｂに対して略平行に設けられている。第二固定挟持体５８において鉛直部５６ｂ側に向く面（側面）は、シャフトに接触する面（以下、「固定側挟持面５８ａ」とも称す）である。固定側挟持面５８ａには、略「Ｖ」字型の溝５８ｂが、第二固定挟持体５８の全幅（水平方向）に亘って延びるように形成されている。
【００３５】
第二可動挟持体６０は、ブロック状の部材であり、第二調整杆６２を回転させることにより第二固定挟持体５８に対して徐々に近接及び離反させることが可能とされている。第二可動挟持体６０において第二固定挟持体５８側を向く面は、固定側挟持面５８ａに対向しシャフトに面接触する面（以下、「可動側挟持面６０ａ」とも称す）である。可動側挟持面６０ａは、樹脂若しくはゴム等の弾性を有する部材によって形成されている。
【００３６】
また、第二可動挟持体６０には、第二調整杆６２が接続されている。第二調整杆６２は、ネジ軸部６２ａと、摘部６２ｂとを有する。ネジ軸部６２ａは、鉛直部５６ｂに設けられたネジ孔５６ｅに挿通されて螺合しており、鉛直部５６ｂに対して略垂直に立設されている。ネジ軸部６２ａの一端側は、第二可動挟持体６０に対して自由に回転可能なように接続されており、他端側は摘部６２ｂに固定されている。
【００３７】
そのため、摘部６２ｂを回転させることにより、第二可動挟持体６０を第二固定挟持体５８に対して近接及び離反させる（水平動させる）ことができる。従って、第二固定挟持体５８の溝５８ｂに倣うようにシャフトを配置した状態において摘部６２ｂを回転させることにより、可動挟持体４０を第二固定挟持体５８に近接させ、固定側挟持面５８ａと可動側挟持面６０ａとの間にシャフトを挟持することができる。
【００３８】
第二調整機構５４は、第一挟持部材３０における第一調整機構３４に相当し、第二挟持部材５０によるシャフトの固定位置及び固定姿勢を調整するために設けられたものである。第二調整機構５４は、基台１２上に設けられた第二台座６４を有する。第二台座６４は、基台１２と略平行な台座水平部６４ａを有する。
【００３９】
台座水平部６４ａは、第二連結軸６８によって基台１２に連結され、水平部５６ａをなす板体に対して略水平に固定されている。また、台座水平部６４ａは、第二連結軸６８を中心として回転可能とされている。
【００４０】
また、台座水平部６４ａには、水平方向に延びる摺動溝６４ｅが設けられている。摺動溝６４ｅには、上述したクランプ部本体５６に設けられているリブ５６ｄが嵌め込まれている。そのため、クランプ部本体５６を台座水平部６４ａに沿って水平方向にスライドさせることにより、第二クランプ部５２の位置（シャフトの固定位置）を水平方向に調整することができる。また、台座水平部６４ａ及びクランプ部本体５６を、第二連結軸６８を中心として回転させることにより、クランプ部本体５６の角度を調整することができる。
【００４１】
計測手段８０は、シャフト固定手段２０によりシャフトが固定されたゴルフクラブについて形状計測を行うためのものである。計測手段８０は、基台１２の一端側に設けられており、基部８２と、当接板８４と、傾斜調整手段８６と、ゲージ板８８とを備えている。基部８２は、基台１２上に配置された計測手段８０の台座となる部分である。基部８２には、支軸９０が自由に回転可能なように取り付けられている。シャフト固定手段２０によりシャフトを固定した状態を基準とした場合、支軸９０は、シャフトの軸心方向に対して略直行する方向に向くように設置されている。
【００４２】
当接板８４は、基部８２に設けられている支軸９０に一端が固定された板体であり、支軸９０を中心として自由に回動可能とされている。当接板８４は、シャフト固定手段２０により固定されたシャフトの先端に取り付けられたヘッドＨに当接する当接面８４ａと、背面８４ｂとを有する。また、当接板８４に対して隣接する位置には、ゲージ板８８が立設されている。ゲージ板８８には、目盛８８ａが付されており、当接板８４の側方から視認することにより当接板８４の傾斜を確認することができる。
【００４３】
当接板８４の背面８４ｂ側には、傾斜調整手段８６が設けられている。傾斜調整手段８６は、基部８２に対して斜めに取り付けられた傾斜板８６ａと、傾斜板８６ａに対して略垂直に取り付けられた傾斜調整ネジ８６ｂとを有する。傾斜調整ネジ８６ｂは、当接板８４の背面８４ｂ側に向けて突出し、先端部が背面８４ｂに当接している。傾斜調整手段８６は、傾斜板８６ａの裏側に設けられた摘部８６ｃを指で摘み回転させて傾斜調整ネジ８６ｂの突出量を調整することにより、当接板８４の傾斜を調整することができる。
【００４４】
計測手段８０は、シャフト固定手段２０によりシャフトを固定した状態において傾斜調整手段８６を調整し、シャフトの先端に取り付けられているヘッドＨに当接板８４を当接させることにより、ゴルフクラブのライ角を計測することができる。
【００４５】
上述したように、本実施形態のゴルフクラブゲージ１０においては、測定対象であるゴルフクラブのシャフトが、第一挟持部材３０に加えて、第二挟持部材５０によって挟持される。また、第二挟持部材５０は、第一挟持部材３０と計測手段８０との間に配置されている。そのため、ゴルフクラブゲージ１０は、シャフトを二点支持することが可能であり、軸ぶれ等を生じないようにシャフトを固定することができる。
【００４６】
更に、本実施形態のゴルフクラブゲージ１０においては、第一挟持部材３０及び第二挟持部材５０により、シャフトに対して互いに交差（略直行）する方向に向けて挟持力を徐々に作用させて最終的に挟持することができる。これにより、テーパー状等に湾曲した形状の筒体によってシャフトが形成されていたとしても、シャフトの中心軸に沿った姿勢でシャフトを固定することが可能となる。従って、本実施形態のゴルフクラブゲージ１０によれば、測定者の技量に依存することなく、ゴルフクラブの形状を正確に計測することが可能となる。
【００４７】
ゴルフクラブゲージ１０は、第一挟持部材３０が、第一固定挟持体３８に対して第一可動挟持体４０を近接させ、両者の間に作用する挟持力によりシャフトを固定するものであり、第一固定挟持体３８の位置を基準としてシャフトが位置決めされる。また、第二挟持部材５０についても、第一挟持部材３０と同様の構造とされており、第二固定挟持体５８の位置を基準としてシャフトを位置決め固定することができる。従って、ゴルフクラブゲージ１０においては、第一固定挟持体３８及び第二固定挟持体５８を正確に位置決めしておくことにより、シャフトを計測に適した位置に位置決め固定することが可能である。
【００４８】
上述したゴルフクラブゲージ１０においては、第一挟持部材３０及び第二挟持部材５０に第一調整機構３４及び第二調整機構５４が設けられており、シャフトの固定位置及び固定姿勢を調整可能とされている。そのため、これらの調整機構３４，５４を用いて調整を行うことにより、シャフトの挟持位置及び挟持姿勢を計測に適した状態になるように調整することが可能となる。なお、本実施形態においては、第一挟持部材３０及び第二挟持部材５０の双方に調整機構３４，５４を設けた構成を例示したが、本発明はこれに限定されるものではなく、いずれか一方のみを設けた構成としても良く、双方を設けない構成としても良い。
【００４９】
また、第一調整機構３４及び第二調整機構５４を設ける場合には、位置調整の基準となる第一固定挟持体３８及び第二固定挟持体５８の位置や姿勢を確認するためのゲージ等を別途設けることが望ましい。このようなゲージ等を設けることにより、シャフトをより一層簡便かつ適確に位置決め固定することが可能となり、測定者の技量に依存することなく、ゴルフクラブの形状計測の精度を向上させることが可能となる。
【００５０】
本実施形態のゴルフクラブゲージ１０においては、固定側挟持面３８ａ，５８ａに、シャフトを配置可能な断面形状が略テーパー状（本実施形態では略「Ｖ」字型）の溝３８ｂ，５８ｂが設けられている。そのため、シャフトがテーパー状等の筒体であったとしても、溝３８ｂ，５８ｂに倣うようにシャフトを配置することによりゴルフクラブを一定の姿勢で保持し、計測することが可能である。
【００５１】
本実施形態では、断面形状が略「Ｖ」字型の溝３８ｂ，５８ｂを設けた構成を例示したが、本発明はこれに限定されるものではなく、溝３８ｂ，５８ｂは略「Ｕ」字型等、多角形状等の断面形状を有するものであっても良い。また、本実施形態では、固定側挟持面３８ａ，５８ａ側にのみ溝３８ｂ，５８ｂを設けた構成を例示したが、本発明はこれに限定されるものではない。具体的には、固定側挟持面３８ａ，５８ａに代えて可動側挟持面４０ａ，６０ａ側に溝３８ｂ，５８ｂに相当するものを設けても良く、固定側挟持面３８ａ，５８ａ及び可動側挟持面４０ａ，６０ａの双方に溝３８ｂ，５８ｂに相当するものを設けても良い。
【００５２】
ゴルフクラブゲージ１０は、第一可動挟持体４０及び第二可動挟持体６０において可動側挟持面４０ａ，６０ａをなす部分がゴムや樹脂等の弾性体によって形成されている。そのため、シャフトがテーパー状等の筒体であったとしても、固定側挟持面３８ａ，５８ａと可動側挟持面４０ａ，６０ａとの間にシャフトを挟み込んだ際に、可動側挟持面４０ａ，６０ａがシャフトの表面に略均一に挟持力を作用させることが可能となる。従って、ゴルフクラブゲージ１０によれば、シャフトがテーパー状の筒体によって形成されたものであっても、測定者の技量に依存することなく一定の姿勢で保持し、正確に計測することが可能である。
【００５３】
本実施形態では、可動側挟持面４０ａ，６０ａをなす部分を弾性体によって形成した構成を例示したが、本発明はこれに限定されるものではなく、可動側挟持面４０ａ，６０ａに代えて固定側挟持面３８ａ，５８ａを弾性体によって形成しても良く、固定側挟持面３８ａ，５８ａ及び可動側挟持面４０ａ，６０ａの双方を弾性体によって形成しても良い。また、固定側挟持面３８ａ，５８ａ及び可動側挟持面４０ａ，６０ａの双方とも弾性体によって形成しないこととしても良い。
【００５４】
本実施形態のゴルフクラブゲージ１０は、計測手段８０としてゴルフクラブのライ角を計測可能なものを設けた構成を例示したが、本発明はこれに限定されるものではなく、フェース角、ロフト角、及びフェース・プログレッション等、ゴルフクラブの特性評価に必要な形状に関する情報を一又は複数計測可能なものとしても良い。
【００５５】
以上、本発明の代表的な実施形態について説明したが、それぞれ本発明の技術的思想の範囲内で種々の設計変更が可能である。例えば、本実施形態においては、クランプ部本体３６，５６に対して別部材である第一固定挟持体３８若しくは第二固定挟持体５８を取り付けた構成を例示したが、クランプ部本体３６，５６と、第一固定挟持体３８若しくは第二固定挟持体５８とを一体的に形成した構成としても良い。
【産業上の利用可能性】
【００５６】
本発明は、シャフトを一定の姿勢で固定することによりゴルフクラブの形状計測を行うゴルフクラブゲージ全般に適用できる。
【符号の説明】
【００５７】
１０    ゴルフクラブゲージ
１２    基台
２０    シャフト固定手段
３０    第一挟持部材
３４    第一調整機構
３８    第一固定挟持体
３８ａ  固定側挟持面
４０    第一可動挟持体
４０ａ  可動側挟持面
５０    第二挟持部材
５４    第二調整機構
５８    第二固定挟持体
５８ａ  固定側挟持面
６０    第二可動挟持体
６０ａ  可動側挟持面
８０    計測手段
【要約】
【課題】測定者の技量に依存することなく、テーパー状のシャフトであってもその中心線に沿った一定の姿勢で保持することが可能であり、信頼性に優れた測定結果を得ることが可能なゴルフクラブゲージを提供する。
【解決手段】ゴルフクラブゲージ１０は、第一挟持部材３０と第二挟持部材５０とからなるシャフト固定手段２０を有する。第一挟持部材３０は上下方向への挟持力を作用させることによりシャフトを固定することができる。また、第二挟持部材５０は、第一挟持部材３０と測定手段８０との間に位置しており、水平方向への挟持力を作用させることによりシャフトを固定することができる。これにより、シャフトが断面形状が略テーパー状の筒体によって構成されたものであったとしても、確実にシャフトの中心軸に沿った姿勢で固定し、安定した測定結果を得ることができる。
【選択図】図１【図１】
0004837132.tif 000002
【図２】
0004837132.tif 000003
【図３】
0004837132.tif 000004
【図４】
0004837132.tif 000005